【手続補正書】
【提出日】平成19年7月30日(2007.7.30)
【手続補正１】
【補正対象書類名】特許請求の範囲
【補正対象項目名】全文
【補正方法】変更
【補正の内容】
【特許請求の範囲】
【請求項１】
無線ＬＡＮにおける省電力化方法において、
端末局が、該端末局の帰属する基地局からビーコン信号を受信すると、該ビーコン信号から、前記基地局が前記端末局宛データを保有しているか否かを示す情報を抽出し、これをメモリに保存する情報抽出ステップと、
前記端末局が、前記ビーコン信号の受信タイミングとは非同期であるタイミングにて、前記メモリに保存された情報の履歴を参照し、これをもとに、前記基地局に前記端末局宛データの送信を促す信号の送信停止を判断する判断ステップを有することを特徴とする方法。
【請求項２】
前記基地局が前記端末局宛データを保有しているか否かを示す情報はＴＩＭ情報であり、
前記基地局に前記端末局宛データの送信を促す信号はＰＳ−Ｐｏｌｌ信号であり、
前記ビーコン信号の受信タイミングとは非同期であるタイミングは、前記基地局に前記端末局宛データの送信を促すＰＳ−Ｐｏｌｌ信号の送信タイミングであることを特徴とする請求項１に記載の省電力化方法。
【請求項３】
前記判断ステップで、前記端末局は、所定数の最新の前記基地局が前記端末局宛データを保有しているか否かを示す前記情報が前記端末局宛データ保有していないことを示しているとき、前記基地局に前記端末局宛データの送信を促す信号の送信を停止する、請求項１または２に記載の方法。
【請求項４】
前記判断ステップで、前記端末局は、所定数の最新の前記基地局が前記端末局宛データを保有しているか否かを示す前記情報が前記端末局宛データを保有していないことを示していないとき、前記基地局に前記端末局宛データの送信を促す信号の送信を再開する、請求項３に記載の方法。
【請求項５】
前記基地局に前記端末局宛データの送信を促す信号の送信を停止後、数回後の前記送信タイミングにて、前記基地局に前記端末局宛データの送信を促す信号の送信を再開する、請求項３に記載の方法。
【請求項６】
無線ＬＡＮにおける省電力化方法において、
端末局が、該端末局の帰属する基地局からビーコン信号を受信すると、該ビーコン信号から、前記基地局が前記端末局宛データを保有しているか否かを示す情報を抽出し、これをメモリに保存する情報抽出ステップと、
前記端末局が、前記ビーコン信号の受信タイミングとは非同期の送信タイミングで前記基地局に送信した、前記端末局宛データの送信を促す信号の応答として、前記端末局宛データを受信したか否かを示すデータ受信情報を前記メモリに保存する保存ステップと、
前記端末局が、前記送信タイミングにて、前記メモリに保存された前記基地局が前記端末局宛データを保有しているか否かを示す情報または前記データ受信情報の履歴を参照し、これをもとに、前記端末局宛データの送信を促す信号の送信停止を判断する判断ステップを有することを特徴とする方法。
【請求項７】
前記基地局が前記端末局宛データを保有しているか否かを示す情報はＴＩＭ情報であり、
前記基地局に前記端末局宛データの送信を促す信号はＰＳ−Ｐｏｌｌ信号であることを特徴とする請求項６に記載の省電力化方法。
【請求項８】
前記判断ステップで、前記端末局は、所定数の最新の前記データ受信情報が前記端末局宛データを受信していないことを示しており、かつ、最新の前記基地局が前記端末局宛データを保有しているか否かを示す情報が前記端末局宛データを保有してしないことを示しているとき、前記端末局宛データの送信を促す信号の送信を停止する、請求項６または７記載の方法。
【請求項９】
前記判断ステップで、前記端末局は、所定数の最新の前記データ受信情報が前記端末局宛データを受信していないことを示しておらず、または、最新の前記基地局が前記端末局宛データを保有しているか否かを示す情報が前記端末局宛データを保有していることを示しているとき、前記端末局宛データの送信を促す信号の送信を再開する、請求項８に記載の方法。
【請求項１０】
前記端末局宛データの送信を促す信号の送信を停止後、数回後の前記送信タイミングにて、前記端末局宛データの送信を促す信号の送信を再開する、請求項８に記載の方法。
【請求項１１】
前記判断ステップで、前記端末局は、現在からさかのぼって所定の時間内の前記データ受信情報がすべて前記端末局宛データを受信していないことを示しており、かつ、最新の前記基地局が前記端末局宛データを保有しているか否かを示す情報が前記端末局宛データを保有してしないことを示しているとき、前記端末局宛データの送信を促す信号の送信を停止する、請求項６に記載の方法。
【請求項１２】
前記判断ステップで、前記端末局は、現在からさかのぼって所定の時間内の前記データ受信情報がすべて前記端末局宛データを受信していないことを示しておらず、または、最新の前記基地局が前記端末局宛データを保有しているか否かを示す情報が前記端末局宛データを保有していることを示しているとき、前記端末局宛データの送信を促す信号の送信を再開する、請求項１１に記載の方法。
【請求項１３】
前記端末局宛データの送信を促す信号の送信を停止後、数回後の前記送信タイミングにて、前記端末局宛データの送信を促す信号の送信を再開する、請求項１１に記載の方法。
【請求項１４】
無線ＬＡＮシステムにおける、帰属する基地局からのビーコン信号の受信タイミングとは非同期で動作する省電力化機能を有する端末局において、
メモリと、
前記基地局から前記ビーコン信号を受信すると、該ビーコン信号から、前記基地局が前記端末局宛データを保有しているか否かを示す情報を抽出し、これを前記メモリに保存する手段と、
前記ビーコン信号の受信タイミングとは非同期であるタイミングにて、前記メモリに保存された前記基地局が前記端末局宛データを保有しているか否かを示す情報の履歴を参照し、これをもとに、前記基地局に前記端末局宛データの送信を促す信号の送信停止を判断する手段を有することを特徴とする端末局。
【請求項１５】
前記基地局が前記端末局宛データを保有しているか否かを示す情報はＴＩＭ情報であり、
前記基地局に前記端末局宛データの送信を促す信号はＰＳ−Ｐｏｌｌ信号であり、
前記ビーコン信号の受信タイミングとは非同期であるタイミングは、前記基地局に前記端末局宛データの送信を促すＰＳ−Ｐｏｌｌ信号の送信タイミングであることを特徴とする請求項１４に記載の端末局。
【請求項１６】
無線ＬＡＮシステムにおける、帰属する基地局からのビーコン信号の受信タイミングとは非同期で動作する省電力化機能を有する端末局において、
メモリと、
前記ビーコン信号の受信タイミングとは非同期の送信タイミングで前記基地局に送信した、前記端末局宛データの送信を促す信号の応答として、前記端末局宛データを受信したか否かを示すデータ受信情報を前記メモリに保存する手段と、
前記送信タイミングにて、前記メモリに保存された前記データ受信情報の履歴を参照し、これをもとに、前記端末局宛データの送信を促す信号の送信停止を判断する手段を有することを特徴とする端末局。
【請求項１７】
前記基地局に前記端末局宛データの送信を促す信号はＰＳ−Ｐｏｌｌ信号であり、
前記ビーコン信号の受信タイミングとは非同期であるタイミングは、前記基地局に前記端末局宛データの送信を促すＰＳ−Ｐｏｌｌ信号の送信タイミングであることを特徴とする請求項１６に記載の端末局。
【請求項１８】
無線ＬＡＮシステムにおける、帰属する基地局からのビーコン信号の受信タイミングとは非同期で動作する省電力化機能を有する端末局において、
メモリと、
前記基地局から前記ビーコン信号を受信すると、該ビーコン信号から、前記基地局が前記端末局宛データを保有しているか否かを示す情報を抽出し、これを前記メモリに保存する手段と、
前記ビーコン信号の受信タイミングとは非同期の送信タイミングで前記基地局に送信した、前記端末局宛データの送信を促す信号の応答として、前記端末局宛データを受信したか否かを示すデータ受信情報を前記メモリに保存する手段と、
前記送信タイミングにて、前記メモリに保存された前記ＴＩＭ情報または前記データ受信情報の履歴を参照し、これをもとに、前記端末局宛データの送信を促す信号の送信停止を判断する手段を有することを特徴とする端末局。
【請求項１９】
前記基地局が前記端末局宛データを保有しているか否かを示す情報はＴＩＭ情報であり、
前記基地局に前記端末局宛データの送信を促す信号はＰＳ−Ｐｏｌｌ信号であり、
前記ビーコン信号の受信タイミングとは非同期であるタイミングは、前記基地局に前記端末局宛データの送信を促すＰＳ−Ｐｏｌｌ信号の送信タイミングであることを特徴とする請求項１８に記載の端末局。
【請求項２０】
基地局と、
該基地局に帰属し、該基地局からのビーコン信号の受信タイミングとは非同期で動作する省電力化機能を有する端末局であって、メモリと、前記基地局から前記ビーコン信号を受信すると、該ビーコン信号から、前記基地局が前記端末局宛データを保有しているか否かを示す情報を抽出し、これを前記メモリに保存する手段と、前記ビーコン信号の受信タイミングとは非同期であるタイミングにて、前記メモリに保存された前記基地局が前記端末局宛データを保有しているか否かを示す情報の履歴を参照し、これをもとに、前記基地局に前記端末局宛データの送信を促す信号の送信停止を判断する手段を有する端末局と、
を有することを特徴とする無線ＬＡＮシステム。
【請求項２１】
前記基地局が前記端末局宛データを保有しているか否かを示す情報はＴＩＭ情報であり、
前記基地局に前記端末局宛データの送信を促す信号はＰＳ−Ｐｏｌｌ信号であり、
前記ビーコン信号の受信タイミングとは非同期であるタイミングは、前記基地局に前記端末局宛データの送信を促すＰＳ−Ｐｏｌｌ信号の送信タイミングであることを特徴とする請求項２０に記載の無線ＬＡＮシステム。
【請求項２２】
基地局と、
該基地局に帰属し、該基地局からのビーコン信号の受信タイミングとは非同期で動作する省電力化機能を有する端末局であって、メモリと、前記ビーコン信号の受信タイミングとは非同期の送信タイミングで前記基地局に送信した、前記端末局宛データの送信を促す信号の応答として、前記端末局宛データを受信したか否かを示すデータ受信情報を前記メモリに保存する手段と、前記送信タイミングにて、前記メモリに保存された前記データ受信情報の履歴を参照し、これをもとに、前記端末局宛データの送信を促す信号の送信停止を判断する手段を有する端末局と、
を有することを特徴とする無線ＬＡＮシステム。
【請求項２３】
前記基地局に前記端末局宛データの送信を促す信号はＰＳ−Ｐｏｌｌ信号であり、
前記ビーコン信号の受信タイミングとは非同期であるタイミングは、前記基地局に前記端末局宛データの送信を促すＰＳ−Ｐｏｌｌ信号の送信タイミングであることを特徴とする請求項２２に記載の無線ＬＡＮシステム。
【請求項２４】
基地局と、
該基地局に帰属し、該基地局からのビーコン信号の受信タイミングとは非同期で動作する省電力化機能を有する端末局であって、メモリと、前記基地局から前記ビーコン信号を受信すると、該ビーコン信号から、前記基地局が前記端末局宛データを保有しているか否かを示す情報を抽出し、これを前記メモリに保存する手段と、前記ビーコン信号の受信タイミングとは非同期の送信タイミングで前記基地局に送信した、前記端末局宛データの送信を促す信号の応答として、前記端末局宛データを受信したか否かを示すデータ受信情報を前記メモリに保存する手段と、前記送信タイミングにて、前記メモリに保存された前記ＴＩＭ情報または前記データ受信情報の履歴を参照し、これをもとに、前記端末局宛データの送信を促す信号の送信停止を判断する手段とを有する端末局と、
を有することを特徴とする無線ＬＡＮシステム。
【請求項２５】
前記基地局が前記端末局宛データを保有しているか否かを示す情報はＴＩＭ情報であり、
前記基地局に前記端末局宛データの送信を促す信号はＰＳ−Ｐｏｌｌ信号であり、
前記ビーコン信号の受信タイミングとは非同期であるタイミングは、前記基地局に前記端末局宛データの送信を促すＰＳ−Ｐｏｌｌ信号の送信タイミングであることを特徴とする請求項２４に記載の無線ＬＡＮシステム。
【請求項２６】
無線ＬＡＮにおいて端末局となるべきコンピュータに実行させるためのプログラムであって、
前記端末局の帰属する基地局からビーコン信号を受信すると、該ビーコン信号から、前記基地局が前記端末局宛データを保有しているか否かを示す情報を抽出し、これをメモリに保存する情報抽出手順と、
前記ビーコン信号の受信タイミングとは非同期であるタイミングにて、前記メモリに保存された情報の履歴を参照し、これをもとに、前記基地局に前記端末局宛データの送信を促す信号の送信停止を判断する判断手順と、
をコンピュータに実行させるためのプログラム。
【請求項２７】
前記基地局が前記端末局宛データを保有しているか否かを示す情報はＴＩＭ情報であり、
前記基地局に前記端末局宛データの送信を促す信号はＰＳ−Ｐｏｌｌ信号であり、
前記ビーコン信号の受信タイミングとは非同期であるタイミングは、前記基地局に前記端末局宛データの送信を促すＰＳ−Ｐｏｌｌ信号の送信タイミングであることを特徴とする請求項２６に記載のプログラム。
【請求項２８】
前記判断手順で、所定数の最新の前記基地局が前記端末局宛データを保有しているか否かを示す前記情報が前記端末局宛データ保有していないことを示しているとき、前記基地局に前記端末局宛データの送信を促す信号の送信を停止する、請求項２６または２７に記載のプログラム。
【請求項２９】
前記判断手順で、所定数の最新の前記基地局が前記端末局宛データを保有しているか否かを示す前記情報が前記端末局宛データを保有していないことを示していないとき、前記基地局に前記端末局宛データの送信を促す信号の送信を再開する、請求項２８に記載のプログラム。
【請求項３０】
前記基地局に前記端末局宛データの送信を促す信号の送信を停止後、数回後の前記送信タイミングにて、前記基地局に前記端末局宛データの送信を促す信号の送信を再開する、請求項２８に記載のプログラム。
【請求項３１】
無線ＬＡＮにおいて端末局となるべきコンピュータに実行させるためのプログラムであって、
前記端末局の帰属する基地局からビーコン信号を受信すると、該ビーコン信号から、前記基地局が前記端末局宛データを保有しているか否かを示す情報を抽出し、これをメモリに保存する情報抽出手順と、
前記ビーコン信号の受信タイミングとは非同期の送信タイミングで前記基地局に送信した、前記端末局宛データの送信を促す信号の応答として、前記端末局宛データを受信したか否かを示すデータ受信情報を前記メモリに保存する保存手順と、
前記送信タイミングにて、前記メモリに保存された前記基地局が前記端末局宛データを保有しているか否かを示す情報または前記データ受信情報の履歴を参照し、これをもとに、前記端末局宛データの送信を促す信号の送信停止を判断する判断手順と、
をコンピュータに実行させるためのプログラム。
【請求項３２】
前記基地局が前記端末局宛データを保有しているか否かを示す情報はＴＩＭ情報であり、
前記基地局に前記端末局宛データの送信を促す信号はＰＳ−Ｐｏｌｌ信号であることを特徴とする請求項３１に記載のプログラム。
【請求項３３】
前記判断手順で、所定数の最新の前記データ受信情報が前記端末局宛データを受信していないことを示しており、かつ、最新の前記基地局が前記端末局宛データを保有しているか否かを示す情報が前記端末局宛データを保有してしないことを示しているとき、前記端末局宛データの送信を促す信号の送信を停止する、請求項３１または３２記載のプログラム。
【請求項３４】
前記判断手順で、所定数の最新の前記データ受信情報が前記端末局宛データを受信していないことを示しておらず、または、最新の前記基地局が前記端末局宛データを保有しているか否かを示す情報が前記端末局宛データを保有していることを示しているとき、前記端末局宛データの送信を促す信号の送信を再開する、請求項３３に記載のプログラム。
【請求項３５】
前記端末局宛データの送信を促す信号の送信を停止後、数回後の前記送信タイミングにて、前記端末局宛データの送信を促す信号の送信を再開する、請求項３３に記載のプログラム。
【請求項３６】
前記判断手順で、現在からさかのぼって所定の時間内の前記データ受信情報がすべて前記端末局宛データを受信していないことを示しており、かつ、最新の前記基地局が前記端末局宛データを保有しているか否かを示す情報が前記端末局宛データを保有してしないことを示しているとき、前記端末局宛データの送信を促す信号の送信を停止する、請求項３１に記載のプログラム。
【請求項３７】
前記判断手順で、現在からさかのぼって所定の時間内の前記データ受信情報がすべて前記端末局宛データを受信していないことを示しておらず、または、最新の前記基地局が前記端末局宛データを保有しているか否かを示す情報が前記端末局宛データを保有していることを示しているとき、前記端末局宛データの送信を促す信号の送信を再開する、請求項３６に記載のプログラム。
【請求項３８】
前記端末局宛データの送信を促す信号の送信を停止後、数回後の前記送信タイミングにて、前記端末局宛データの送信を促す信号の送信を再開する、請求項３６に記載のプログラム。
【手続補正２】
【補正対象書類名】明細書
【補正対象項目名】発明の名称
【補正方法】変更
【補正の内容】
【発明の名称】無線ＬＡＮシステムにおける省電力化方法、端末局、無線ＬＡＮシステム、およびプログラム